(57)【要約】  本発明は、特にコンバーチブルの車両シート（１）用の空気供給装置と、かかる空気供給装置における空気の流れの調節方法とに関する。この空気供給装置及び方法は、空気供給装置の空気ダクト（６）の内部に設けられるペルチェ素子によって、空気の流れの温度を種々のパラメータに従って調節することができることを特徴とする。このために、空気の流れが、ペルチェ素子（７）の加熱表面（１０）又は冷却表面（９）のいずれかの上に導かれる。
2008521671.tif 000002
【特許請求の範囲】
【請求項１】
車両シート（１）の上部領域（２）に設けられる少なくとも１つの空気流出開口（４）を有し、前記開口（４）からシートの乗員の頭部、肩部及び首部に空気流を作用させることができ、該空気流の温度及び強さを制御ユニット（１１）によって調整することができる、特にコンバーチブルの車両シート（１）用の空気供給装置において、
加熱表面（１０）及び冷却表面（９）を有する少なくとも１つのペルチェ素子（７）を設け、前記空気流を、パラメータ値に応じて前記ペルチェ素子（７）の加熱表面（１０）又は冷却表面（９）の上に導くことを特徴とする空気供給装置。
【請求項２】
前記空気流を、回転可能に装着される空気フラップ（８）によって前記ペルチェ素子（７）の対応する表面上に導くことができる、請求項１に記載の装置。
【請求項３】
前記パラメータ値が、自動検知可能な外部パラメータ値であるか、あるいは、シートの乗員が選択し得る設定値であり、該設定値から、自動検知可能な別のパラメータ値に応じて前記空気流のさらなる調節が行われる、請求項１あるいは２に記載の装置。
【請求項４】
前記パラメータ値が外部温度及びその時点の走行速度であり、前記設定値が、空気流の望ましい最低又は最高温度及び望ましい最小又は最大強さである、請求項３に記載の装置。
【請求項５】
車両シート（１）の上部領域（２）に設けられる少なくとも１つの空気流出開口（４）を有し、前記開口（４）からシートの乗員の頭部、肩部及び首部に空気流を作用させることができ、加熱表面（１０）及び冷却表面（９）を有する少なくとも１つのペルチェ素子（７）を備えた、特にコンバーチブルの車両シート（１）用の空気供給装置における空気流の調節方法において、
外部温度が２５℃未満であれば、前記空気流を前記ペルチェ素子（７）の加熱表面（１０）上に導き、外部温度が３０℃を超えていると、前記空気流を前記ペルチェ素子（７）の冷却表面（９）上に導くことを特徴とする方法。
【請求項６】
外部温度が２５℃〜３０℃の間にあるときは、前記ペルチェ素子（７）のスイッチを切断し、前記空気流がその時点の外部温度で流出することを特徴とする請求項５に記載の方法。
【請求項７】
前記空気流の強さをその時点の車両速度に応じて調節することを特徴とする請求項５あるいは６に記載の方法。
【発明の詳細な説明】
【技術分野】
【０００１】
本発明は、請求項１の前段に記載の、特にコンバーチブルの車両シート用の空気供給装置に関する。本発明は、さらに、請求項５の前段に記載の空気流の調節方法に関する。
【背景技術】
【０００２】
コンバーチブルの車両シートに組み込むことができるこの種の型式の空気供給装置が、例えば特許文献１から知られる。この空気供給装置の場合は、車両シートの上部領域に少なくとも１つの空気流出開口が設けられ、その開口から、シート乗員の頭部、肩部及び首部に所定の空気の流れを作用させることができる。この方式の空気の流れは、上部開放で運転する場合に、特に、後部側で、開放された乗員室に流入する好ましくない通風を低減することを目的とする。このため、この空気供給装置においては、運転中、定められた流入断面によって捉えられる空気が送り込まれ、動圧の発生又はファンの補助によって配管ライン及びダクトを通して空気流出開口まで搬送される。
【０００３】
さらに特許文献２が、コンバーチブルのシート用の空気供給装置を開示している。この装置においては、空気流出開口から流出する調節可能な空気流によって、上部開放運転の間、シート乗員に対して改善された快適さが提供される。この空気流の調節は、シートの乗員が流出する空気の流れを心地良く感じるように、自動的に、又は個別に調節し得るパラメータ値に応じて制御装置によって行われる。このために、空気供給装置の内部に加熱要素が設けられ、周囲から吸引される空気を所定の温度に予熱することができる。さらに、流出する空気の流量、すなわち空気流の強さが、制御装置によってファンを介して調節される。
【０００４】
【特許文献１】独国実用新案第９２  ０１  ４７４  Ｕ１号明細書
【特許文献２】独国特許出願公開第１０２  ２６  ００８  Ａ１号明細書
【発明の開示】
【発明が解決しようとする課題】
【０００５】
本発明は、これらの先行技術を出発点として、特に上部開放運転時にシート乗員に一層高度の快適さを提供し得るような、この種の空気供給装置を開発することを目的とする。
【課題を解決するための手段】
【０００６】
この目的は、本発明によれば、請求項１の特徴を備えた空気供給装置と、請求項５の特徴を備えた、この方式の空気供給装置の空気流調節方法とによって達成される。
【０００７】
それによれば、本発明の核心は、空気供給装置が、加熱表面及び冷却表面を形成する少なくとも１つのペルチェ素子を有するという点にある。この表面上に、パラメータ値に応じて空気の流れを導くことができる。
【０００８】
ペルチェ素子は、一般的に２つの異種の金属プレートからなる薄いプレートであり、エネルギーを供給すると、一方の側で熱くなり、同時にもう一方の側では冷たくなる。ペルチェ素子は、ゼーベック効果の逆の効果である「ペルチェ効果」を利用するものである。最大の利点として、小型であること、いかなる機械部品も含まないこと、及び搬送媒体を使用しないことがある。従って、ペルチェ素子は、空気流ダクトの内部に簡単に配置することができる。
【０００９】
本発明の場合、ペルチェ素子は、本発明に従って、空気供給装置の空気ダクト内に配置され、この空気ダクトは車両シート内部に配置される。
【００１０】
ペルチェ素子の下側の、周囲の空気を吸引する空気流入開口とそのペルチェ素子との間に、アクチュエータによって作動させることができる回転可能な空気フラップを装着する。空気流入開口は、通常、車両シートの背面側の背もたれの下部領域に設けられる。吸引された周囲の空気を、選択されたパラメータ値に応じてペルチェ素子の加熱表面又は冷却表面のいずれかに導くために空気フラップを回転させる。
【００１１】
吸引空気をペルチェ素子の加熱表面又は冷却表面のいずれに導くかは、システムによって自動検知されるパラメータ値、あるいはシートの乗員が自由に選択し得る設定値として調節することができるパラメータ値によって決められる。
【００１２】
対応するセンサによって検知し得る外部パラメータ値は、第１にその時点の外気温度であり、第２に、走行速度と共に出現する後方への空気流を伴うその時点の走行速度である。個別に調節し得る設定値は、シート乗員に対する例えば空気流の望ましい最低又は最高温度、及び空気流の望ましい最小又は最大強さである。この設定値から、自動検知可能な別のパラメータ値に応じて、空気流をさらに調節することができる。
【００１３】
本発明によれば、これらすべてのパラメータ値に基づいて、空気の強さが調整され、空気流の温度が調節される。その際、システムは、対応して周囲の空気をペルチェ素子の加熱表面又は冷却表面のいずれかの上に導く。
【００１４】
これを可能にするため、本発明は又、コンバーチブルの車両シート用のこの方式の空気供給装置における空気流の調節方法をも提供する。この方法においては、外部温度が２５℃未満であれば、空気流はペルチェ素子の加熱表面上に導かれ、外部温度が３０℃を超えていると、空気流はペルチェ素子の冷却表面上に導かれる。
【００１５】
さらに、外部温度が２５℃〜３０℃の間にあるときは、ペルチェ素子のスイッチを切断し、従って流出する空気流の温度はその時点の外部温度に一致する。
【００１６】
さらに、流出空気の加熱領域又は冷却領域においても、かつ又ペルチェ素子のスイッチを切断した場合にも、その時点の車両速度に応じて空気流の強さを対応して調整することによって、及び、それに関連して、首部領域における空気の後方への流れの強さを対応して調整することによって、車両乗員に対する快適さの強化を調節することができる。
【００１７】
次に、添付の図面に概略図解した実施例を参照しながら本発明をさらに詳しく説明する。
【発明を実施するための最良の形態】
【００１８】
図１は、コンバーチブル用の車両シート１の斜視図を示す。この型式のシートを閉鎖型の車両に用いることも同様に考えられるであろう。この車両シート１は、ヘッドレスト２及び背もたれ３を含む。
【００１９】
本発明による空気供給装置は、図１に破線で表現されている。
【００２０】
ヘッドレスト２の領域に空気流出開口４が設けられ、その開口４から、車両シート１に座る乗員（図示されていない）の頭部、肩部及び首部に空気の流れを作用させることができる。
【００２１】
換気ファン５は、背もたれ３の領域に配置され、図２に見られるように、周囲の空気を吸引して、それを、空気ダクト６を経由してヘッドレスト２内の空気流出開口４に供給する。
【００２２】
ペルチェ素子７は、換気ファン５と空気流出開口４との間の空気ダクト６の中に配置される。
【００２３】
ペルチェ素子７の下部に、アクチュエータ（図示されていない）によって回転させることができる空気ガイド装置８、すなわち回転可能に装着される空気フラップが配置される。
【００２４】
図２は、本発明による空気供給装置の側面図を示す。
【００２５】
ペルチェ素子７は、空気ダクト６の内部に、その冷却表面９を走行方向の前方に向け、その加熱表面１０をそれと反対の方向に向けて配置する。
【００２６】
図示の場合、空気ガイド装置８の空気フラップは、換気ファン５によって吸引される周囲の空気がペルチェ素子７の加熱表面１０の上を通るように回転されているが、このフラップ配置は外部温度が２５℃未満であるときに取られることが望ましい。
【００２７】
ペルチェ素子７は、対応するセンサ（図示されていない）によって外部温度を測定する制御装置１１によって操作される。さらに、車両乗員が、制御装置１１を、対応する設定値によって手動で又は個別に前以て調節することができる。この設定値に基づいて、制御装置１１は、例えば外部温度及び後方への空気の流れの強さのような、その時点のパラメータに応じて空気の流れを再度調節する。
【図面の簡単な説明】
【００２８】
【図１】本発明による組み込み型空気供給装置を備えたコンバーチブルの車両シートの概略的な斜視図を示す。
【図２】空気供給装置を備えた車両シートの概略的な側面図を示す。
【図１】
2008521671.tif 000003
【図２】
2008521671.tif 000004
【国際調査報告】
2008521671.tif 000005
2008521671.tif 000006
2008521671.tif 000007
2008521671.tif 000008